(57)【特許請求の範囲】
【請求項１】
ファクシミリ自動受信で待機時に着呼後、回線をファクシミリに接続し、次に、デジタル命令信号等の通信手順信号を検出できない通信不調の時にファクシミリ通信の回線を開放するためのタイマーＴ１を設定し、着呼後に被呼識別信号を送出するまでの時間内で通信手順信号以外の音声信号を検出した時に、録音手段でその音声信号の録音を開始し、その後、上記タイマーＴ１がタイムアップしたとき、録音手段での録音を停止すると共に回線を開放することを特徴とするファクシミリ装置。
【請求項２】
録音した情報は、通信管理メモリに受信時刻情報と間違い電話有りの情報と共に記憶する請求項１記載のファクシミリ装置。
【請求項３】
録音手段で録音された音声信号を再生する手段を備えた請求項１又は２記載のファクシミリ装置。
【発明の詳細な説明】
【０００１】
【産業上の利用分野】
本発明は、間違い電話がかかってきた時にこれを認識できるファクシミリ装置に関するものである。
【０００２】
【従来の技術】
従来、ファクシミリが自動受信状態で待機中に発呼局から呼出信号を受けて回線を接続し、発呼局と所定の通信手順の送受信を行った後、ファクシミリ情報を受信するようにしている。
【０００３】
【発明が解決しようとする課題】
しかしながら、ファクシミリは、ファクシミリの他にも通常の電話とも接続されており、発呼者が電話番号を間違えて、発信しファクシミリに着呼した場合、発呼者は何か発声してもファクシミリは、これを無視して通信手順信号を送信するのみであり、着呼側には、間違い電話があったことさえわからない問題がある。
【０００４】
また最近は、留守録機能付きのファクシミリ装置があり、通話録音とファックミリ情報の受信を自動的に切り換えるものがあるが、このファクシミリ装置は、留守録の際には、発呼者に通話かファクシミリ送信かのメッセージを送った後に切り換えるもので、ファクシミリ専用機のように、着呼があって直ちにファクシミリ受信が開始される場合には、間違い電話を確認することはできない。
【０００５】
そこで、本発明の目的は、上記課題を解決し、間違い電話など、ファクシミリ通信手順信号でない音声信号があった時、これを検出できるファクシミリ装置を提供することにある。
【０００６】
【課題を解決するための手段】
上記目的を達成するために、請求項１の発明は、ファクシミリ自動受信で待機時に着呼後、回線をファクシミリに接続し、次に、デジタル命令信号等の通信手順信号を検出できない通信不調の時にファクシミリ通信の回線を開放するためのタイマーＴ１を設定し、着呼後に被呼識別信号を送出するまでの時間内で通信手順信号以外の音声信号を検出した時に、録音手段でその音声信号の録音を開始し、その後、上記タイマーＴ１がタイムアップしたとき、録音手段での録音を停止すると共に回線を開放するようにしたファクシミリ装置である。
【０００７】
請求項２の発明は、録音した情報は、通信管理メモリに受信時刻情報と間違い電話有りの情報と共に記憶する請求項１記載のファクシミリ装置である。
【０００８】
請求項３の発明は、録音手段で録音された音声信号を再生する手段を備えた請求項１又は２記載のファクシミリ装置である。
【０００９】
【作用】
上記構成によれば、ファクシミリ自動受信で着呼があった時、通信手順を中断させるタイマーＴ１を設定し、着呼後に被呼識別信号を送出するまでの時間内に音声信号を検出した時には回線の音を録音し、通信不調のときのタイマーＴ１で回線を開放するタイムアップに合わせて録音を停止することで、無駄な録音を最小限に抑えつつ間違い電話を検出できると共に、その間違い電話を通信管理メモリに記憶することで、ファクシミリ通信管理が正しく行え、かつその音声信号を再生することで、発呼者も特定することが可能となる。
【００１０】
【実施例】
以下、本発明の一実施例を添付図面に基づいて詳述する。
【００１１】
図１は、本発明のファクシミリ装置のブロック図を示し、１は主制御部（ＣＰＵ）で、モデム２，回線制御部３を介して公衆回線４に接続される。主制御部１には、送信原稿を読み取る読取部５、ＬＣＤなどの表示部６、送受信を操作するキー操作部７、プログラムが記憶されたＲＯＭ８、通信管理や後述する音声信号をデジタル情報で記憶する録音手段としてのＲＡＭ９、プリント部１０が接続され、また音声変換器１１を介してスピーカ１２が接続される。
【００１２】
以上において、先ずファクシミリ送信を行う場合、主制御部１は、送信原稿を読取部５で読み取り、そのファクシミリ情報をモデム２，回線制御部３を介し公衆回線４を介して相手先のファクシミリに送信し、ファクシミリ自動受信の時には、回線制御部３、モデム２を介して着呼があったなら、送信先のファクシミリと所定の通信手順のプロトコルを行った後、ファクシミリ情報をプリント部１０で印字する。
【００１３】
主制御部１は、この送受信の各１通信ごとに、通信先ＩＤ、送受別、通信時刻、枚数、結果などを表す通信管理レポートを作成し、これをＲＡＭ９に格納し、所定通話回数になった時或いはキー操作部７の操作により、その通信管理レポートをプリント部１０より出力したり、表示部６で表示するようになっている。
【００１４】
ファクシミリ送受信でなく、自動受信で待機中に間違い電話がかかってきた場合、主制御部１は、通信手順のプロコトルを行っている時に、相手先（着呼側）の音声信号を検出し、この音声信号をデジタル変換してＲＡＭ９に記憶すると共に、通信管理レポートに、その通信があり、かつ間違い電話であることを記述すると共にキー操作部７の操作で、音声変換器１１よりスピーカ１２で音声を再生できるようになっている。
【００１５】
この本発明のフローチャートを図２〜４により説明する。
【００１６】
自動受信待機中２０、ｓｔｅｐ１の判断で、呼出信号の有無を検出し、呼出信号が有れば（ｙｅｓ）、回線をファクシミリに接続２１し、次に音声信号を検出するためのタイマーＴに２．６秒を設定し、同時に通信不調のときの回線を開放するためのタイマーＴ１に４０秒を設定２２する。次にｓｔｅｐ２で、通信手順信号以外の信号（音声）が有るかどうかを判断する。ここで音声信号が有れば（ｙｅｓ）回線の音を録音開始２３を行い、無ければ（ｎｏ）、ｓｔｅｐ３で、タイマーＴが２．６秒経過かどうかを判断し、タイムアップ（ｙｅｓ）で有れば、発呼局からのＣＮＧ信号を受けて被呼局識別信号（ＣＥＤ）を送出２４し、次にデジタル識別信号（ＤＩＳ）を送出２５し、次にタイマＴを３秒に設定２６し、その間に、通信手順、すなわちｓｔｅｐ４の判断でデジタル命令信号（ＤＩＳ）を検出したならば（ｙｅｓ）、ｓｔｅｐ２でした録音停止、録音消去２７を行い、ファクシミリ画像受信記録２８を行い、通信の後手順２９を行った後、回線を開放３０する。またｓｔｅｐ４の判断で、デジタル命令信号（ＤＩＳ）を検出したなければ（ｎｏ）、ｓｔｅｐ５で通信手順以外の信号（音声）が有るかどうかを判断し、有れば（ｙｅｓ）、ｓｔｅｐ２でした録音に続いて、回線音の録音を開始３１してｓｔｅｐ６でタイマーＴのカウントアップの判断で３秒経過したかどうかを判断し、３秒経過したなら（ｙｅｓ）、ｓｔｅｐ７で、Ｔ１タイム（４０秒）経過したかどうかを判断し、４０秒経過したなら（ｙｅｓ）、録音を停止３２した後、回線を開放３０する。
【００１７】
次に、回線を開放３０した後は、通信管理レポートを作成する。すなわち、図３（ａ）に示すように、ｓｔｅｐ８で、今の自動受信が、画像受信したかどうかを判断し、画像受信で有れば（ｙｅｓ）、通信管理テーブルに相手先、日時、枚数、結果ｅｔｃを格納３１し、画像受信で無ければ（ｎｏ）、ｓｔｅｐ９で、音声信号を録音したかどうかを判断し、録音したならば（ｙｅｓ）、通信管理テーブルに日時と結果に、”マチガイデンワ”と格納３２して、自動受信の待機中２０とする。
【００１８】
この通信管理テーブルは、図３（ｂ）に示すように、送受信に別けて記憶され、本例の場合には受信用の管理テーブル３５に受信順序、相手先、日時、枚数、結果、録音Ｎｏ．などを記憶すると共に適宜プリント部１０でプリントアウトするようになっている。またこの管理テーブル３５はＡＳＣＩＩコードなどの１バイト文字コードであり、間違い電話は、カタカナ表示となり、またこの際、通信のプロトコルもなされていないので、相手先ＩＤ、枚数はブランクとする。
【００１９】
次に、図２の自動受信の待機中に通信管理テーブルから間違い電話を確認する場合を説明する。ｓｔｅｐ１で呼出信号が無い（ｎｏ）状態で、ｓｔｅｐ１０の判断に移り、通信管理表示要求キーが入力されたかどうかを判断し、要求キーが入力されたならば（ｙｅｓ）、図４（ａ）に示すように、図３（ｂ）に示した受信用の通信管理テーブルのＮｏ．１のレコード番号３６を呼び出して、表示装置に表示３７させる。この表示内容は、図４（ｂ）で符号３８で示したように表示される。次にｓｔｅｐ１０で、キー操作で、次項目をスクロールさせると、Ｎｏ．２の受信内容が、図４（ｂ）に符号３９で示したように表示される。この通信内容の表示３９は、マチガイデンワなので、ｓｔｅｐ１０のキー操作で、再生キーを操作することで、ｓｔｅｐ１１の判断をへて、該当する録音Ｎｏ．の録音を再生３９する。この再生により、間違い電話の発呼側が誰であるかの特定も可能となる。
【００２０】
また管理テーブルをスクロールする際にｓｔｅｐ１１で順次レコード番号をインクリメントして最後のレコードまで移動したのち、待機中２０に戻す。
【００２１】
【発明の効果】
以上要するに本発明によれば、ファクシミリ自動受信で着呼があった時、通信手順を中断させるタイマーＴ１を設定し、着呼後に被呼識別信号を送出するまでの時間内に音声信号を検出した時には回線の音を録音し、通信不調のときのタイマーＴ１で回線を開放するタイムアップに合わせて録音を停止することで、無駄な録音を最小限に抑えつつ間違い電話を検出できると共に、その間違い電話を通信管理メモリに記憶することで、ファクシミリ通信管理が正しく行え、かつその音声信号を再生することで、発呼者も特定することが可能となる。
【図面の簡単な説明】
【図１】本発明の一実施例を示すブロック図である。
【図２】本発明のフローチャートを示す図である。
【図３】図２のフローチャートの続きと通信管理テーブルを示す図である。
【図４】図２のフローチャートの続きと通信管理テーブルの通信内容を表示した図である。
【符号の説明】
１  主制御部
９  ＲＡＭ（録音手段）
１２  スピーカ
【図１】
0003586897.tif 000002
【図２】
0003586897.tif 000003
【図３】
0003586897.tif 000004
【図４】
0003586897.tif 000005